(57)【要約】【課題】アトピー性皮膚炎等の皮膚病を時期や場所をとらわれず一定の治療条件で皮膚の治療を行うことができ、常時清潔な状態を維持することができる皮膚治療装置及び肌の手入れ方法を提供する。【解決手段】遠赤外線ヒータ１０を用いて治療室２の室温を約６０℃前後に設定されている状態で、使用者５は治療室２の外で皮膚に塩水を塗布した後、治療室２に入室して着座部材９に着席し使用者５の皮膚に塗布した塩水の蒸散によって成分のミネラルが皮膚に吸収され、第１紫外線照射手段１１から治療用紫外線を照射することによって皮膚の免疫効果を高め、使用者５が治療室２を退室したあと、第２紫外線照射手段１２から殺菌用紫外線を照射することによって治療室２の内部を殺菌する。【選択図】　図２
2004065330.tif 000002
【特許請求の範囲】
【請求項１】
側面に扉を備えた密閉空間である治療室にヒータを内装し、使用者の皮膚に塩水を塗布して発汗作用を行わせる皮膚治療装置であって、
前記治療室の内面を反射板で覆うと共に、前記治療室の内部に治療用紫外線を照射するための第１紫外線照射手段と前記治療室の内部に殺菌用紫外線を照射するための第２紫外線照射手段とを備えて構成されることを特徴とする皮膚治療装置。
【請求項２】
前記治療用紫外線の波長を３００ｎｍから３１５ｎｍ、前記殺菌用紫外線の波長を２５０ｎｍから２７０ｎｍとすることを特徴とする請求項１に記載の皮膚治療装置。
【請求項３】
前記治療室の外部に、前記第１紫外線照射手段又は前記第２紫外線照射手段が稼動中であることを警告する警告手段を備えることを特徴とする請求項１又は請求項２に記載の皮膚治療装置。
【請求項４】
前記治療室の内部に液体噴霧手段を備えることを特徴とする請求項１から請求項３のいずれか１項に記載の皮膚治療装置。
【請求項５】
前記治療室の底部に移動手段を備えたことを特徴とする請求項１から請求項４のいずれか１項に記載の皮膚治療装置。
【請求項６】
使用者の皮膚に塩水を塗布後、前記皮膚に波長３００ｎｍから３１５ｎｍの紫外線を照射して発汗作用を促進することを特徴とする肌の手入れ方法。
【発明の詳細な説明】
【０００１】
【発明の属する技術分野】
本発明は、皮膚病の治療に利用する皮膚治療装置であり、特に、アトピー性皮膚炎の治療に好適である皮膚治療装置及び皮膚の手入れ方法に関する。
【０００２】
【従来の技術】
従来から発明者は、海水浴効果によるアトピー性皮膚炎の治療方法を見出し成果をあげている。この海水浴効果とは、アトピー性皮膚炎の患者が海水浴を行い塩水及び太陽光を浴びることで皮膚の炎症を治療するものである。特に、この海水浴効果は、副作用が少なく即効性を得ることができる。
【０００３】
【発明が解決しようとする課題】
しかし、海水浴効果を用いたアトピー性皮膚炎の治療では、医師の適切な指導の下で行われることで効果が生きるものであり、誤った方法で行うと塩水及び太陽光の浴び方によっては皮膚の炎症を起し、その結果、生命の危険を伴う問題があった。
また、実際の海水浴では、塩水の濃度や太陽光の照射量が日々変化するため適用することが難しく、さらに、季節及び場所が限定されるために年間を通して治療を行うことができないという問題があった。
【０００４】
そこで、本発明は、季節や場所に限定されず、一定の治療条件で皮膚の治療を行うことができる皮膚治療装置及び肌の手入れ方法を提供することを課題とする。
【０００５】
【課題を解決するための手段】
前記した課題を解決するため、本発明の皮膚治療装置は、側面に扉を備えた密閉空間である治療室にヒータを内装し、使用者の皮膚に塩水を塗布して発汗作用を行わせる皮膚治療装置であって、前記治療室の内面を反射板で覆うと共に、前記治療室の内部に治療用紫外線を照射するための第１紫外線照射手段と前記治療室の内部に殺菌用紫外線を照射するための第２紫外線照射手段とを備えて構成されることを特徴とする。
ここで、使用する塩水に、ミネラルを多く含む海洋深層水を用いることでより治療効果を向上させることができる。
また、本発明の皮膚治療装置は、前記治療用紫外線の波長を３００ｎｍから３１５ｎｍ、前記殺菌用紫外線の波長を２５０ｎｍから２７０ｎｍとすることを特徴とする。
【０００６】
このように構成した本発明の皮膚治療装置を用いることにより、使用者の皮膚に塩水を塗布した状態でヒータによって加温された治療室に入室し、第１紫外線照射手段から治療用紫外線を使用者の皮膚に照射することで治療を行うことができる。また、治療室から使用者が退出後に第２紫外線照射手段から殺菌用紫外線を照射し、治療室の内部を殺菌して常時清潔な状態で治療をすることができる。
このため、治療を行うために季節や場所にとらわれることなく、一定条件で安定して治療を行うことができる。
また、治療用紫外線の波長を３００ｎｍから３１５ｎｍの間にする事によって、皮膚に影響を与えない治療用紫外線を皮膚に照射して治療を行うことができ、皮膚の免疫効果を促進することができると共に、皮膚の抵抗力を高めることができる。
また、殺菌用紫外線の波長を２５０ｎｍから２７０ｎｍの間にすることで、治療室内部を殺菌することができ、治療室内部を常に清潔な状態で維持することができる。
【０００７】
また、本発明の皮膚治療装置は、前記治療室の外部に前記第１紫外線照射手段又は前記第２紫外線照射手段の稼動中であることを警告する警告手段を備えることを特徴とする。
【０００８】
このように構成することにより、治療用紫外線を照射して治療中又は治療室に殺菌用紫外線を照射中している時に、誤って治療室に入室することを防止できる。
特に、殺菌用紫外線は、人体に悪影響をおよぼすおそれがあるため、誤入室による不慮の事故を未然に防止することができる。
【０００９】
また、本発明の皮膚治療装置は、前記治療室の内部に液体噴霧手段を備えることを特徴とする。
ここで、液体噴霧手段とは、塩水と水を切替え可能になっており、用途に合わせて使い分けることができる。
【００１０】
このように構成することにより、治療室内で液体噴霧手段から皮膚に塩水を塗布することができ、治療室の外に出ないで皮膚の治療を連続して行うことができる。また、使用者が治療室内部から退出した後に液体噴霧手段から水を噴霧するようにし、内部についた塩水を洗浄することができる。
【００１１】
また、本発明の皮膚治療装置は、前記治療室の底部に移動手段を備えることを特徴とする。
【００１２】
このように構成することにより、移動手段を用いて簡単に治療室を任意の場所に移動させることができるため配置する場所を限定する必要もなく、病院等の治療施設、ホテル、スポーツジム等に備えることができると共に、トラック等に積み込んで移動し様々な場所で治療を行うことができる。
【００１３】
また、使用者の皮膚に塩水を塗布後、前記皮膚に波長３００ｎｍから３１５ｎｍの紫外線を照射して発汗作用を促進することを特徴とする肌の手入れ方法を提供することができる。
【００１４】
このような肌の手入れ方法は、使用者が治療室に入室すると、発汗作用と塩水の蒸散によって塩水に含まれるミネラル成分が皮膚に吸収されると共に、第１紫外線照射手段から治療用紫外線を皮膚に照射させて免疫効果を促進させ、それぞれの相乗効果を利用して皮膚の手入れを行うことができる。
【００１５】
【発明の実施の形態】
以下、本発明の一実施形態を適宣図面を参照して説明する。図１は皮膚治療装置を示す分解斜視図である。図２は、皮膚治療装置を示す断面図である。図３は、皮膚治療装置の他の実施形態を示す分解斜視図である。図４は、皮膚治療装置の更に他の実施形態を示す断面図である。
【００１６】
皮膚治療装置１は、図１に示すように、治療室２とその内部に設けられた各種装置で構成されている。
【００１７】
治療室２は、底板２Ａと、その底板２Ａの四周に立設した４枚の側板２Ｂ、２Ｃ、２Ｄ、２Ｅと、上面を閉塞する天井板２Ｆとを、木材等の材料を用いて箱型形状に形成したものであり、この治療室２の内壁には、アルミ板３が貼り付けられている。
ここで、治療室２に用いる木材は、特に限定するものではないが、例えば、ヒノキ材のように殺菌効果や香りの効果を有するものを用いることで、使用者５が敏感肌であっても、炎症などを起すことがなく、同時にヒノキ材の香りの効果によって使用者５の精神状態を安定させることができる。
【００１８】
また、アルミ板３により後記第１紫外線照射手段１１と第２紫外線照射手段１２から照射される紫外線を治療室２内で反射させることができるようになる。特に、治療用に用いる第１紫外線照射手段１１の波長が短くても、使用者５に対してアルミ板３によって反射させて全体的に照射することができ、また、第２紫外線照射手段１２を用いて治療室２内部の殺菌を行う際にも、治療室２の内部を全体的に紫外線照射することができることになる。
【００１９】
さらに、アルミ板３の上面には、スノコ状に板材４が配置されている。この板材４に用いる木材は特に限定するものではなく、敏感肌の使用者５が板材４に接したときでも皮膚の炎症を起すことがない材料が好ましく、例えば、治療室２を構成するヒノキ材などを用いることができる。
【００２０】
治療室２の側面には、使用者５が入退室するための扉６が設けられ、この扉６は、木材や金属などの材質を用いて開閉自在に設けられると共に、使用者５が扉６の開閉を行うための取手が取り付けられている。また、扉６には、窓７が設けられ、治療室２の内部から外部を覗くことができると共に、外部から治療室２内部にいる使用者５の状態を把握することができる。ここで、窓７は、耐熱性ガラス等を用いている。
【００２１】
また、治療室２の内部には、使用者５が座るための着座部材９が設けられている。この着座部材９は、材質等は特に限定するものではなく、抗菌性等に優れたヒノキ等の木材を用いることが好ましい。
【００２２】
治療室２の内部を加温するための遠赤外線ヒータ１０は、着座部材９の下部に設けられている。この遠赤外線ヒータ１０によって、治療室２の室温を３０℃〜８０℃までの範囲で自由に設定できる。特に、使用者５が適度な発汗作用及び血行促進を促すために、治療室２の温度を６０℃以上にすることが好ましい。
【００２３】
第１紫外線照射手段１１は、治療室２の天井部２Ｆに配置され、使用者５が着座部材９に着座した状態で皮膚に照射できるように調整されている。なお、使用者５の皮膚に有害な紫外線を照射しないために、第１紫外線照射手段１１には、照射する治療用の紫外線の波長を３１１ｎｍ〜３１２ｎｍとなるように調整している。特に。この波長域は、人体に有害にならない範囲で治療に好適な波長として実証実験により見出されたものである。
【００２４】
第２紫外線照射手段１２は、治療室２の天井部２Ｆに配置されると共に、使用者５の利用後に治療室２を殺菌し消毒することができる波長２５４ｎｍの紫外線を照射することができるようになっている。
【００２５】
警告手段８は、治療室２の側板２Ｂの外部に設けられ、皮膚治療装置１が稼動中であることを治療室２の外部にいる人に警告するものであり、例えば、表示装置や音などを用いて警告することが好ましい。特に、第２紫外線照射手段１２の紫外線で治療室２の内部を殺菌している時に、使用者などが誤って入室することを未然に防止することができる。
【００２６】
また、治療室２の内部には、砂時計１６と、湿度計を備えた温度計１３と、図示しない治療室２の内部を照らす照明器具と、治療室２内の使用者５と外部との連絡を行うためのインターホン（連絡手段）が備えられている。この砂時計１６によって使用者が治療時間を把握することができ、また、温度計１３によって治療室２の温度及び湿度を利用者が確認することができる。
さらに、インターホン等の外部との連絡手段を備えることで、外部にいる人が利用者５に対して適切な治療方法を指示することができるのと同時に、使用者５の緊急時等に外部に連絡をとることができる。
【００２７】
また、壁面にはモニタ１４が設けられている。このモニタ１４は、テレビ番組や映画等の映像を映し出すものであり、治療室２の壁材２Ｅの内部に設けられると共に、モニタ１４の画像表示部の前には、耐熱性ガラス１５が設けられている。この耐熱性ガラス１５によってモニタ１４は、熱等の影響を受けないようにしてある。また、モニタ１４及び耐熱性ガラス１５は取り外し可能に構成されている。
【００２８】
このように構成された皮膚治療装置１の使用方法について説明する。治療室２は、遠赤外線ヒータ１０を用いて室温を約６０℃前後に設定する。第１紫外線照射手段１１及び第２紫外線照射手段１２が稼動していない（紫外線を照射していない）状態において、使用者５は治療室２の外で皮膚に塩水を塗布した後、図２に示すように、治療室２に入室して着座部材９に着席する。その後、第１紫外線照射手段１１から紫外線を照射する。このとき、第１紫外線照射手段１１が稼動するとそれに連動して警告手段８（図１参照）が作動し、治療中の表示がなされる。
ここで、第１紫外線照射手段１２から照射される紫外線によって、使用者５が目を痛めないために、治療室２に入室する時は、紫外線防止ゴーグルや紫外線防止サングラス等をかけて入室することが好ましい。
【００２９】
この時、皮膚に塗布した塩水が蒸散する時に塩水に含まれるミネラルが皮膚に吸収されると同時に使用者５の発汗作用によって皮膚の血行が促進され、第１紫外線照射手段１１から紫外線を照射することで皮膚の免疫効果を高めることができる。
例えば、１５分間の治療と５分間の休憩の組み合わせを３回繰り返して行うことにより治療効果を得ることができる。
【００３０】
そして、使用者５の皮膚は黄色ブドウ球菌により汚染されていることがあるため、使用者５が皮膚治療装置１での治療を終了して治療室２から退室した後、第２紫外線照射手段１２から紫外線を治療室２の内部に照射して殺菌を行う。このとき、第２紫外線照射手段１２が稼動するとそれに連動して警告手段８が作動して殺菌中の表示がなされる。
その結果、皮膚治療装置１を使用した後に、第２紫外線照射手段１２から殺菌用紫外線を照射して殺菌するので常に清潔な状態を維持することができる。
【００３１】
また、皮膚治療装置１を使った長時間の治療でも、モニタ１４を設けてあるので、モニタ１４に映し出される画像を使用者５が見ながら治療を行うことができ、使用者５を退屈させることなく治療を行うことができる。例えば、モニタ１４にイルカが泳ぐ映像を映し出すと共に、波の音が使用者５に聞こえるようにすることで、リラックスした状態で治療を行うことができる。
特に、子供が皮膚治療装置１を利用する時には、テレビ画面にアニメの映像等を流すことで楽しみながら治療を行うことができる。
【００３２】
また、本発明の実施形態において、着座部材９に使用者が腰掛けて治療を行うとしたが、図３に示すように使用者５が寝た状態で治療を行うことができるように細長く形成した台座Ｂを設け、治療を行う構成としてもよい。
【００３３】
また、図４に示すように、治療室２の天井板２Ｆに塩水又は水を切替えて噴霧できる液体噴霧手段１７を備えることで、治療中に使用者５の皮膚に適度に塩水又は水を噴霧することができ、治療室２の外部に出て塩水を塗布することなく治療を連続して行うことができる。
また、使用者５が治療室２を退室後に、液体噴霧手段１７から水を噴霧して、治療室２の内部についた塩水を流すと共に、第２紫外線照射手段１２を用いて治療室２の内部を殺菌することで、常に清潔な状態で皮膚治療装置１を利用することができる。
なお、液体噴霧手段１７は、特に限定されるものではなく、霧状に噴霧できるものであればどのようなものでもよい。
【００３４】
また、図４に示すように、皮膚治療装置１の底部２Ａに台車やタイヤ等の移動手段１８を備えることで自由に移動することができる。ここで、移動手段１８の駆動方法は特に限定するものではなく、例えば、モーターなどの駆動手段を用いての駆動させるように構成してもよい。
【００３５】
また、この皮膚治療装置１は、病院等の診療施設やホテルやスポーツ施設や家庭等の住居に使用することが可能であり、設置する場所や使用人数に合わせて大きさ等も自由に変更することができる。
【００３６】
また、実施形態において着座部材９の下部に遠赤外線ヒータ１０を設けるとしたが、本発明を限定するものではなく、治療室２の内面を覆うように遠赤外線ヒータ１０を設けるようにしても同様の効果を得ることができる。
【００３７】
また、実施形態の皮膚治療装置１において、温度計１３、砂時計１６を用いて使用者５が確認しながら皮膚治療装置１を使用するとしたが特に本発明を限定するものではなく、例えば、皮膚治療装置１に治療室２の温度や、第１紫外線照射手段１１の照射時間や、治療時間などを一括して制御する制御手段を設けて治療を行う構成としてもよい。
【００３８】
【発明の効果】
これより、本発明の皮膚治療装置は、遠赤外線ヒータ、第１紫外線照射手段、第２紫外線照射手段を治療室内の内部に備えた皮膚治療装置であって、治療室内に使用者が入室時に皮膚に塩水を塗布し、治療室内で使用者の発汗作用と第１紫外線照射手段の治療用紫外線を皮膚に照射することで治療を行うと共に、使用者が皮膚治療装置から退出後、治療室内に殺菌するために第２所定波長の紫外線を照射する第２紫外線照射手段を用いて殺菌を行うことができ、常に清潔な状態で治療を行うことができる。
【００３９】
また、本発明の皮膚治療装置は、第１紫外線照射手段の紫外線の波長を３００ｎｍから３１５ｎｍとする事によって、使用者の皮膚を痛めることなく治療を行うことができ、第２紫外線手段の紫外線の波長を２５０ｎｍから２７０ｎｍとすることで、治療室の内部を殺菌することができ、常に清潔な状態で皮膚治療装置を利用することができる。
【００４０】
また、本発明の皮膚治療装置は、警告手段を設けることによって、皮膚治療装置が稼動中であることを治療室外部にいる人に警告すると共に、第２紫外線照射手段を用いて、治療室内部の殺菌中に誤って治療室に入室することを防止することができる。
【００４１】
また、本発明の皮膚治療装置は、治療室の内部に液体噴霧手段を備えることで、使用者が治療室外部に出なくても連続して治療を行うことができる。
【００４２】
また、本発明の皮膚治療装置は、皮膚治療装置の底部に移動手段を備えることで、皮膚治療装置を任意の場所に移動することができる。
【００４３】
さらに、使用者の皮膚に塩水を塗布した後に、治療室に入室すると共に、使用者の発汗作用と共に、第１紫外線照射手段を用いて治療用紫外線を皮膚に照射することによって、皮膚に塗布した塩水が蒸散する際に塩水に含まれるミネラルが皮膚に吸収されると共に、紫外線を照射することで皮膚の免疫効果を高めることによって、肌の手入れを行うことができる。
【図面の簡単な説明】
【図１】皮膚治療装置を示す分解斜視図である。
【図２】図１に示した皮膚治療装置の断面を示す断面図である。
【図３】皮膚治療装置の他の実施形態を示す分解斜視図である。
【図４】皮膚治療装置の更に他の実施形態を示す断面図である。
【符号の説明】
１　・・・皮膚治療装置
２　・・・治療室
２Ａ　・・・底板
２Ｂ　・・・側板
２Ｃ　・・・側板
２Ｄ　・・・側板
２Ｅ　・・・側板
２Ｆ　・・・天井板
３　・・・アルミ板
４　・・・角材
５　・・・使用者
６　・・・扉
７　・・・窓
８　・・・警告手段
９　・・・着座部材
１０　・・・遠赤外線ヒータ
１１　・・・第１紫外線照射手段
１２　・・・第２紫外線照射手段
１３　・・・温度計
１４　・・・モニタ
１５　・・・耐熱性ガラス
１６　・・・砂時計
１７　・・・液体噴霧手段
１８　・・・移動手段
Ｂ　・・・台座
【図１】
2004065330.tif 000003
【図２】
2004065330.tif 000004
【図３】
2004065330.tif 000005
【図４】
2004065330.tif 000006